(57)【要約】【課題】【解決手段】無線電気通信ネットワークで、無線電話ユーザが相手によって保留状況に置かれると、ユーザのウェブ対応型電話機に対する無線アプリケーション・プロトコルを使用して、ユーザの電話機の表示画面に付加的な情報／データがダウンロード（プッシュ）される。したがって、音声接続と、ウェブ・ページをダウンロードするデータ接続の並行接続が確立される。
2004533798.tif 000002
【特許請求の範囲】
【請求項１】
デジタル無線電気通信ネットワークにおいて、
携帯電話のユーザから音声呼を受信するステップと、
前記携帯電話のユーザと音声による会話を行うステップと、
前記携帯電話のユーザとの前記音声呼を維持しながら、前記携帯電話の表示画面に表示するために前記携帯電話にコンテンツをダウンロードするステップと
を含む方法。
【請求項２】
前記コンテンツが、インターネット上のウェブ・サーバからのウェブ・ページである請求項１に記載の方法。
【請求項３】
前記音声呼を保留状況に置き、前記音声呼が前記保留状況にある間に前記ダウンロード・ステップを行うステップ
をさらに含む請求項１に記載の方法。
【請求項４】
前記ウェブ・ページが、インターネットと前記デジタル無線電気通信ネットワークとを結合するゲートウェイによって無線アプリケーション・プロトコル・フォーマットに変換された後で、前記ウェブ・サーバから前記携帯電話にダウンロードされる請求項２に記載の方法。
【請求項５】
前記ウェブ・ページのｈｔｍｌが、前記ゲートウェイによって無線マークアップ言語に変換される請求項４に記載の方法。
【請求項６】
前記音声呼が保留状況に置かれた後で、前記携帯電話を介してユーザに音声メッセージが再生され、前記コンテンツのダウンロードを選択することを前記ユーザに要求する請求項３に記載の方法。
【請求項７】
前記ダウンロード・ステップがさらに、前記携帯電話に関連する発呼者ＩＤを使用して、前記携帯電話にダウンロードする特定のコンテンツを選択するステップを含む請求項１に記載の方法。
【請求項８】
前記音声呼と前記コンテンツのダウンロードが、前記携帯電話と前記ネットワークの間の接続を通じてパケット交換プロトコルを使用して同時に行われる請求項１に記載の方法。
【請求項９】
前記保留状況が解除されると前記コンテンツのダウンロードを中止するステップ
をさらに含む請求項３に記載の方法。
【請求項１０】
コンピュータ可読媒体に記憶するように適合可能なコンピュータ・プログラム製品であって、
携帯電話のユーザから音声呼を受信するプログラム・ステップと、
前記携帯電話のユーザと音声による会話を行うプログラム・ステップと、
前記携帯電話のユーザとの前記音声呼を維持するのと同時に、前記携帯電話の表示画面に表示するために前記携帯電話にコンテンツをダウンロードするプログラム・ステップと
を含むコンピュータ・プログラム製品。
【請求項１１】
前記コンテンツが、インターネット上のウェブ・サーバからのウェブ・ページである請求項１０に記載のコンピュータ・プログラム製品。
【請求項１２】
前記音声呼を保留状況に置き、前記音声呼が保留状況にある間に前記ダウンロードのプログラム・ステップを行うプログラム・ステップ
をさらに含む請求項１１に記載のコンピュータ・プログラム製品。
【請求項１３】
前記音声呼が保留状況に置かれた後に、前記携帯電話に対して音声メッセージが再生され、前記コンテンツのダウンロードを許可することを前記ユーザに要求する請求項１２に記載のコンピュータ・プログラム製品。
【請求項１４】
前記ダウンロードのプログラム・ステップがさらに、前記携帯電話に関連する発呼者ＩＤを使用して、前記携帯電話にダウンロードする特定のコンテンツを選択するプログラム・ステップを含む請求項１２に記載のコンピュータ・プログラム製品。
【請求項１５】
前記保留状況が解除されると前記コンテンツのダウンロードを中止するプログラム・ステップ
をさらに含む請求項１２に記載のコンピュータ・プログラム製品。
【請求項１６】
ウェブ対応型電話機でウェブ・ページを表示するｈｔｍｌコードを格納するデータベースと、
電気通信ネットワークに結合し、前記電気通信ネットワークを通じて内線電話を携帯電話に接続する交換機と、
前記内線電話と前記携帯電話間で行われる音声による会話と同時に、前記ウェブ対応型電話機に前記ウェブ・ページをダウンロードするアプリケーション・サーバと
を含む情報ハンドリング・システム。
【請求項１７】
前記アプリケーション・サーバと前記電気通信ネットワーク間に結合され、前記ウェブ・ページを前記ウェブ対応型電話機の表示画面に表示できるように、前記ウェブ・ページのｈｔｍｌコードを無線マークアップ言語に変換するゲートウェイ
をさらに含む請求項１６に記載のシステム。
【請求項１８】
前記携帯電話と前記交換機間の前記電気通信ネットワークが、ベアラ無線ネットワークおよび公衆交換電話網を含む請求項１７に記載のシステム。
【請求項１９】
前記ゲートウェイが、前記ベアラ無線ネットワークを介して前記携帯電話に結合される請求項１８に記載のシステム。
【請求項２０】
前記電気通信ネットワークが、並行ダウンロードを可能にするパケット交換である請求項１９に記載のシステム。
【請求項２１】
デジタル無線ネットワークと、
ウェブ対応型電話機と、
交換機と、
前記交換機と前記デジタル無線ネットワークに結合された公衆交換電話網と、
前記交換機に結合された電話機と、
前記デジタル無線ネットワーク、公衆交換電話網、および前記交換機を介して、前記ウェブ対応型電話機と前記電話機の間で音声接続を生み出す回路と、
前記音声接続を行うのと並行して、前記ウェブ対応型電話機にコンテンツをダウンロードするアプリケーション・サーバと
を含む電気通信ネットワーク。
【請求項２２】
前記コンテンツが、前記ウェブ対応型電話機の表示画面に表示するためにフォーマットされたウェブ・ページである請求項２１に記載のネットワーク。
【請求項２３】
前記デジタル無線ネットワークを通じて前記ウェブ対応型電話機に送信するために、前記アプリケーション・サーバから受信した前記ウェブ・ページのｈｔｍｌコードを無線マークアップ言語に変換する無線アプリケーション・プロトコル・ゲートウェイ
をさらに含む請求項２２に記載のネットワーク。
【請求項２４】
前記ウェブ対応型電話機が前記電話機によって保留状態に置かれると、前記ウェブ対応型電話機に前記コンテンツをダウンロードする回路
をさらに含む請求項２３に記載のネットワーク。
【請求項２５】
前記ウェブ対応型電話機が、前記音声接続と同時に前記コンテンツを表示する請求項２１に記載のネットワーク。
【発明の詳細な説明】
【技術分野】
【０００１】
本発明は、一般には無線電気通信に関し、詳細には無線電話網を通じた音声およびデータの伝送に関する。
【背景技術】
【０００２】
無線電気通信はなおその発展の初期段階にある。移動電話の普及は１９８０年代に始まり、青少年が携帯電話を所有するまでに普及した。携帯電話時代はアナログ・ネットワークとともに始まったが、急速にデジタル・フォーマットに変わり、全国に広まった。
【０００３】
それに平行して１９９０年代には電子商取引とインターネットが急速に台頭した。最近まで携帯電話は専ら音声通信に利用されていたが、インターネットとデジタル・セル・ネットワークの統合により、携帯電話ユーザが音声とデータの両方を通信できる総合技術が急速に生み出されている。現在では、無線電話サービスに加入して、携帯電話の小型の表示画面専用に構成されたウェブ・サイトにアクセスするための内蔵ウェブ・ブラウザを備えた携帯電話機を入手することができる。その結果、無線電話ユーザは、他者と音声による会話を行うことができるだけでなく、内蔵ウェブ・ブラウザを使用して携帯電話で電子メール、株価、天気予報などを見ることもできる。
【発明の開示】
【発明が解決しようとする課題】
【０００４】
しかし、この新興技術のすべてにより、ビジネスに電話をかけた際に保留状態にされるなどの電気通信の欠点が解消された訳ではない。通話が無期限に保留にされると、当然のことながらビジネスの顧客にはいらだちが生じ、これはビジネスにとって好ましいことではない。携帯電話のユーザはしばしば分単位で電話の使用料金を払わなければならないことから、携帯電話の場合はこの事態がさらに悪化する。テンポが速い今日の世界では、電話を保留にすると、何か他の事に使うこともできるはずの貴重な時間を費やすことになる。したがって、当技術分野では、顧客のいらだちを低減するために、顧客が電話で保留状態に置かれる時間をよりうまく利用することが必要とされる。
【課題を解決するための手段】
【０００５】
本発明は、携帯電話ユーザが保留状態に置かれたときユーザに代替のコンテンツを提供することにより、上述の必要性に対処する。携帯電話ユーザが保留状態に置かれると、ユーザの携帯電話の表示画面でユーザに表示するために付加的なコンテンツがプッシュされる。
【０００６】
代替実施形態では、保留時間中に、顧客のプロファイルをダウンロードして顧客にとって特に興味のあるコンテンツをプッシュすることができる。
【０００７】
デジタル無線電気通信ネットワークにおいて、本発明は、一実施形態で、携帯電話のユーザから音声呼を受信するステップと、携帯電話のユーザと音声による会話を行うステップと、携帯電話のユーザとの音声呼を維持しながら、携帯電話の表示画面に表示するために携帯電話にコンテンツをダウンロードするステップとを含む方法を含む。
【０００８】
本発明の別の実施形態では、コンピュータ可読媒体に記憶するように適合可能なコンピュータ・プログラム製品が提供され、このコンピュータ・プログラム製品は、携帯電話のユーザから音声呼を受信するプログラム・ステップ、携帯電話のユーザと音声による会話を行うプログラム・ステップ、および携帯電話ユーザとの音声呼を維持するのと同時に、携帯電話の表示画面に表示するために携帯電話にコンテンツをダウンロードするプログラム・ステップを含む。
【０００９】
本発明の別の実施形態は、情報ハンドリング・システムを実施し、このシステムは、ウェブ対応型電話機でウェブ・ページを表示するｈｔｍｌコードを格納するデータベースと、電気通信ネットワークに結合し、電気通信ネットワークを通じて内線電話を携帯電話に接続するための交換機と、内線電話と携帯電話との間で行われる音声による会話と同時に、ウェブ対応型電話機にウェブ・ページをダウンロードするアプリケーション・サーバとを備える。
【００１０】
本発明の別の実施形態は電気通信ネットワークを含み、この電気通信ネットワークは、デジタル無線ネットワークと、ウェブ対応型電話機と、交換機と、交換機およびデジタル無線ネットワークに結合された公衆交換電話網と、交換機に結合された電話機と、デジタル無線ネットワーク、公衆交換電話網、および交換機を介してウェブ対応型電話機と電話機間に音声接続を生み出す回路と、音声接続を行うのと平行してウェブ対応型電話機にコンテンツをダウンロードするアプリケーション・サーバとを含む。
【００１１】
上述では、以下の本発明の詳細な説明をよりよく理解できるように本発明の特徴および技術的利点をやや大まかに概説した。本発明の特許請求の範囲の主題をなす本発明のこの他の特徴および利点を以下で説明する。
【発明を実施するための最良の形態】
【００１２】
以下の説明では、具体的なプロトコルあるいは無線ネットワーク・アーキテクチャなどの多数の具体的な詳細事項を述べて本発明の完全な理解を提供する。ただし、当分野の技術者には明らかであるように、本発明はそのような特定の詳細事項を用いずに実施することもできる。他の例では、不必要に詳細に図示することで本発明をあいまいにしないために、よく知られる回路はブロック図の形で図示する。大抵の部分で、タイミングの考慮などに関する詳細は、本発明を完全に理解するのに必要でなく、また関連技術の技術者が有する技術の範囲内であるので省略している。
【００１３】
次いで図面を参照するが、図の要素は必ずしも原寸に比例して示されてはおらず、数枚の図全体を通じて同じまたは同様の要素は同じ参照符号で示されている。
【００１４】
本発明は、デジタル携帯電話、ページャ、携帯情報端末などを公衆交換電話網（ＰＳＴＮ）およびインターネットに接続するために現在運用されているような無線デジタル・ネットワーク内で実施される。このようなネットワークは、ＷＡＰ（無線アプリケーション・プロトコル）を使用して通信することができる。ＷＡＰは、無線ユーザが無線端末の表示画面で、電子メールおよび音声メールにアクセスする、ファックスの送受信を行う、株取引を行う、銀行取引を行う、小型のウェブ・ページを閲覧することなどを可能にする。仕様を含むＷＡＰについてのさらなる情報は、http://www.wapforum.orgで入手することができる。同ウェブ・サイトは参照により本明細書に組み込む。ＷＡＰにより、モバイル・ユーザは、情報が携帯電話の画面に収まるように情報のフォーマットをウェブ・サイトが調整することを可能にするワイヤレス・マークアップ言語（ＷＭＬ）を使用して縮小されたウェブ・ページを、より容易に閲覧することができる。
【００１５】
図１に、本発明の概念を実施する例示的プロセスの流れ図を示す。ステップ１０１で、携帯電話（無線電話）ユーザは、可能なサービスにアクセスし、それを入手するためにあるビジネスに接続して、ビジネスと対話する。すなわち、ユーザは自分の携帯電話でビジネスに電話をかける。ステップ１０２でビジネスの代表者が取り込み中でその時にユーザと対話できない場合、プロセスはステップ１０５に進み、発呼者は保留状態に置かれる。ビジネスの代表者がユーザと会話できる場合は、プロセスはステップ１０２から１０３に進み、ユーザは、要求したサービスをビジネスから受け取り、システムはステップ１０４で終了する。
【００１６】
ただし、ステップ１０５が行われる場合、ユーザは保留状態に置かれ、本発明の一実施形態により、ビジネスは、ゲーム、株価などの他のサービス／情報（本明細書では「善意（goodwill）」サービスとも称する）を携帯電話にダウンロードするオプションをユーザに提示する。この提示は、保留中のユーザに対する音声メッセージとすることができる。このネットワークを通じて発呼者ＩＤサービスが実装され、その特定のユーザがあらかじめこのビジネスに登録している場合、ビジネスは、発呼者ＩＤ情報を利用してユーザを識別し、その特定ユーザにダウンロードされるサービス／情報をユーザに合わせて調整できる可能性がある。例えばユーザがあらかじめこのビジネスに登録し、保留状態になった時には株価を受け取る選択を表明しているとする。すると、ユーザがビジネスに電話をかけ、保留状態に置かれた時には、株価情報がユーザの携帯電話にダウンロードされる。ステップ１０６で、プロセスは、ユーザがそのような代替の「善意」サービスを受け取りたいかどうかを判定する。このステップは、代替の善意サービスをユーザに提示し、代替サービス／情報のダウンロードを許可する数字（例えば「１」）をダイヤルするか、声に出して言うことをユーザに要求することによって行うことができる。ユーザがそのような付加的な善意サービスを受け取りたくない場合、プロセスはステップ１０８に進み、ユーザは、ユーザが本来そのために電話したサービスを待ち（最終的には保留状態が解除される）、プロセスはステップ１０２に戻り、発呼者は引き続き保留状態に置かれる。一方、ユーザがそのような善意サービスを受け取ることを選択した場合は、プロセスはステップ１０７に進み、そのような善意サービスをダウンロードするために、下記の方法でユーザとビジネスの間で並行接続が確立されることになる。ステップ１０９で、ユーザは善意サービスを呼び出し、ＷＴＡ（無線電話アプリケーション）インタフェースを使用して電話アプリケーションを呼び出すか、あるいは、他のＷＡＥ（無線アプリケーション環境）インタフェースを使用してＷＡＰアプリケーションを起動することができる（図４参照）。ステップ１１０で、保留状況をなお継続するかどうかを判定する。継続しない場合プロセスはステップ１０３に進み、ユーザはその要求に応じてサービスされる。ただしステップ１１０でユーザをなお保留状態にすべき場合は、プロセスはステップ１１１に進み、任意選択のステップを行って、ユーザが以前に選択したその善意サービスを継続したいかどうか要求することができる。継続したい場合は、プロセスは単にステップ１０９に戻ってそのような付加的な善意サービスの提供を続ける。ただしユーザがそのような善意サービスの継続を望まない場合は、プロセスはステップ１１２に進み、ユーザへの別の善意サービスの提供を開始する。方法はステップ１０７に戻る。一例として、ユーザに提供される最初の善意サービスは、ユーザの携帯電話でプレイするためにユーザにダウンロードされる特定のゲームにすることができる。ユーザがステップ１１１でそのゲームに飽きている場合は、ステップ１１２で開始するプロセスで、別のゲームをユーザにダウンロードすることが可能なプロセス���開始することができる。
【００１７】
図２を参照すると、本発明により構成された無線ネットワークを示している。携帯電話２０２を有するユーザは、ベアラ・ネットワーク２０１を通じて無線ネットワークにアクセスすることができる。ベアラ・ネットワーク２０１は、ＭＣＩ、Ｓｐｒｉｎｔ、ＡＴ＆Ｔなどのエンティティによって提供することができる。そのようなネットワーク２０１は、携帯電話ユーザ２０２をＰＳＴＮ（公衆交換電話網）２０３に接続する。ユーザが特定のビジネスに電話をかける場合、ＰＳＴＮ２０３は、ユーザの電話呼をビジネスのＰＢＸ２０４に接続し、ＰＢＸ２０４はその呼を呼び出された内線電話に交換するが、この例ではこの内線電話はビジネスのコール・センター２０５である。ユーザ２０２を図１との関連で上述した保留状況に置く可能性があるのはコール・センター２０５である。
【００１８】
コール・センター２０５が、ネットワーク２０１および２０３を通じて携帯電話／モバイル・ユーザ２０２から呼を受信し、ユーザ２０２を保留状態にしなければならない場合、コール・センター２０５はユーザのプロファイルを入手してプッシュするコンテンツを決定する。これは、発呼者の発呼者ＩＤ情報とユーザ・プリファレンスのデータベースを比較することによって実現することができる。次いでこのコンテンツを並行チャネルでユーザ２０２にプッシュする。これは、アプリケーション・サーバ２０８を介してコンテンツを生成し、ＷＡＰプッシュ・サービスを起動してコンテンツをプッシュすることによって実現される。ウェブ・プッシュ・サービスは、データおよびサービスを指定されたウェブ・クライアントにプッシュするためのプッシュ・プロキシ・ゲートウェイを利用する。ＷＡＰは、そのようなプッシュ・サービスを起動し、実行することができる標準インタフェースを備える。一方、ビジネスがユーザ２０２のユーザ・プロファイルへのアクセス権を持たない場合、ユーザ２０２は、ビジネスがクライアントによって選択されたサービスをプッシュすることを可能にするＷＡＰプッシュ・サービスと併せてＷＴＡサーバ２０６を使用することにより、サービスを選択することができる。ユーザの呼により最初の音声接続が設定され（クライアント２０２−ベアラ・ネットワーク２０１−ＰＳＴＮ２０３−ＰＢＸ２０４−コール・センター２０５）、そして（最初の接続での）クライアントの選択に基づいて、データおよびサービスをクライアントにプッシュするための第２の接続（クライアント２０２−ベアラ・ネットワーク２０１−ＷＡＰゲートウェイ２０７−アプリケーション・サーバ２０８）がビジネスからクライアントまで生成される。クライアント上のＷＴＡＩインタフェース（図４参照）およびサーバ上のプッシュ・プロキシ・サービスを利用してこの第２の接続を実施することができる。この時点でクライアントとビジネスの間には２つの並行チャネルがあり、このチャネルはパケットベースのネットワーキング機能を利用している。
【００１９】
図３に、ＷＡＰクライアントに善意サービスをプッシュするためにＷＡＰクライアントをサポートする終端間ネットワーク・インフラストラクチャの構成の一実施形態を示す。ＷＡＰスタックの一端にあるＷＡＰクライアント３０１は、ＷＭＬブラウザ、プッシュ・クライアント、および電話アプリケーション環境を有し、携帯電話、ＰＤＡ、あるいはその他任意のＷＡＰをサポートする機器とすることができる。ＷＡＰゲートウェイ３０２は、無線プロトコルとワイヤライン・プロトコルを橋渡しする。ＷＳＰ（無線セッション・プロトコル）要求は、インターネットを通じて送信されるＨＴＴＰ要求に変換される。ＷＡＰプロキシ３０４は、コンテンツの変換、クライアント機能に合わせた調整など、ＷＡＰコンテンツを操作してＷＡＰクライアントに適したものにする。ＷＡＰサービス３０３は、プッシュ・プロキシ・ゲートウェイを通じて、ＷＡＰプッシュ・サービスなどウェブ・サービスを超えるサービスを提供し、また電話サーバを通じてＷＡＰ電話アプリケーションを提供する。ウェブ・プロキシ３０５はウェブ・クライアント向けの各種サービスを提供し、一方ウェブ・サーバ３０６（オリジン・サーバ）はクライアント３０１に配信するコンテンツを生成する。データソース３０７は、そのような有用なクライアント・サービスを装備する際にアクセスされ、変換されるデータを含む。
【００２０】
次いで図４を参照すると、並行接続（図２参照）を通じたクライアント無線デバイス３０１への善意サービスの提供方法をさらに詳細に示す。図４には、クライアント側からＷＡＰゲートウェイ３０２へのＷＳＰ要求の配信と、要求の復号と、ＣＧＩスクリプトなどを使用してオリジン・サーバ３０６によってサービスされるＨＴＴＰ要求へのプロトコル変換とを示している。この時点で、ＷＭＬコンテンツを直接生成するか、あるいは何らかの他のフォーマットのコンテンツを生成することができ、そのコンテンツはＨＴＴＰ応答として送信される。ＷＡＰゲートウェイ３０２は、必要な符号化とプロトコル変換を行い、コンテンツを元のクエリに対するＷＳＰ応答として送信する。
【００２１】
無線アプリケーション環境（ＷＡＥ）は、コンテンツおよびアプリケーションをダウンロードするためのフォーマットを定義し、またＷＡＰ環境中のアプリケーション・サーバからコンテンツを配信する手段も定義する。クライアント・デバイス３０１のＷＡＥ中の無線電話アプリケーション・インタフェース（ＷＴＡＩ）は、クライアント・デバイス３０１の電話機能と対話するためにＷＭＬアプリケーションが使用するサービスの集合を表す。この集合には、電話呼を開始する、ＤＴＭＦトーンを送信する、着呼を受け付け、セットアップする、ネットワーク・テキスト・メッセージを送受信する、呼を保留状態にする、呼を転送するなどの機能が含まれる。無線電話アプリケーション（ＷＴＡ）のユーザ・エージェント（ＵＡ）は、新しいテレフォニー・ライブラリのカタログまたはバンドルのダウンロードと、価付加値をつけた電話サービスへのアクセスを可能にするイベント・ハンドリング機能をサポートする。この例では、ＷＴＡ  ＵＡにより、ユーザが保留状態に置かれた時のサービス・ダウンロードの並行の実行が可能になる。
【００２２】
無線セッション・プロトコル（ＷＳＰ）は、２つのアプリケーション・ピア間のセッションの概念をサポートする。無線トランザクション・プロトコル（ＷＴＰ）は、大まかにＴＣＰ（伝送制御プロトコル）に基づき、トランザクションの概念、すなわちクライアント要求とサーバ応答をサポートし、無線データグラム・プロトコル（ＷＤＰ）によって提供されるデータグラム・サービスの上位に構築される。無線トランスポート層セキュリティ（ＷＴＬＳ）は、認証およびデータ暗号化サービスを提供する。本発明とその利点を詳細に説明したが、本発明の精神および頭記の特許請求の範囲から逸脱することなく、本発明に各種の変更、置換、および改変を加えることができることを理解されたい。
【図面の簡単な説明】
【００２３】
【図１】本発明による流れ図である。
【図２】本発明により構成されたネットワークのブロック図である。
【図３】本発明によりサービスを提供するために利用されるネットワーク中の構成要素のブロック図である。
【図４】本発明により構成された無線アプリケーション環境の図である。
【図１】
2004533798.tif 000003
【図２】
2004533798.tif 000004
【図３】
2004533798.tif 000005
【図４】
2004533798.tif 000006
【国際公開パンフレット】
2004533798.tif 000007
2004533798.tif 000008
2004533798.tif 000009
2004533798.tif 000010
2004533798.tif 000011
2004533798.tif 000012
2004533798.tif 000013
2004533798.tif 000014
2004533798.tif 000015
2004533798.tif 000016
2004533798.tif 000017
2004533798.tif 000018
2004533798.tif 000019
2004533798.tif 000020
2004533798.tif 000021
2004533798.tif 000022
2004533798.tif 000023
2004533798.tif 000024
2004533798.tif 000025
2004533798.tif 000026
2004533798.tif 000027
2004533798.tif 000028
【手続補正書】
【提出日】平成15年6月5日(2003.6.5)
【手続補正１】
【補正対象書類名】明細書
【補正対象項目名】全文
【補正方法】変更
【補正の内容】
【発明の詳細な説明】
【技術分野】
【０００１】
本発明は、一般にはデジタル無線電気通信ネットワークに関し、詳細には、携帯電話のユーザから音声呼を受信すること、携帯電話のユーザと音声による会話を行うこと、および携帯電話のユーザとの音声呼を維持するのと同時に、携帯電話の表示画面に表示するためのコンテンツを携帯電話にダウンロードすることに関する。
【背景技術】
【０００２】
無線電気通信はなおその発展の初期段階にある。移動電話の普及は１９８０年代に始まり、青少年が携帯電話を所有するまでに普及した。携帯電話時代はアナログ・ネットワークとともに始まったが、急速にデジタル・フォーマットに変わり、全国に広まった。
【０００３】
それに平行して１９９０年代には電子商取引とインターネットが急速に台頭した。最近まで携帯電話は専ら音声通信に利用されていたが、インターネットとデジタル・セル・ネットワークの統合により、携帯電話ユーザが音声とデータの両方を通信できる総合技術が急速に生み出されている。現在では、無線電話サービスに加入して、携帯電話の小型の表示画面専用に構成されたウェブ・サイトにアクセスするための内蔵ウェブ・ブラウザを備えた携帯電話機を入手することができる。その結果、無線電話ユーザは、他者と音声による会話を行うことができるだけでなく、内蔵ウェブ・ブラウザを使用して携帯電話で電子メール、株価、天気予報などを見ることもできる。
【０００４】
米国特許出願ＵＳ−Ａ−５  ７６４  ７３９は、端末とサービス・プロバイダの間に音声接続とデータ接続を同時に確立することが可能なシステムを開示する。電話による会話中に、データ接続を使用して、サービス・プロバイダが選択した情報項目をユーザに送信して、ガイドされたデータ・セッションをユーザに提供することができる。このような音声接続とデータ接続を同時に確立することができる方法は、英国特許出願ＧＢ−Ａ−２  ３４５  ６１のデジタル無線電気通信ネットワークについても開示される。
【０００５】
さらに、対話型のネットワーク・ユーザ選択の技術が、米国特許出願ＵＳ−Ａ−６  ０２０  ９１６に開示される。
【０００６】
このような従来技術は、単一の呼の中で音声とデータを組み合わせることを教示するが、利用可能な帯域幅を使用するための大きな可能性はまだ発見されておらず、したがって使用されていない。
【特許文献１】
米国特許出願ＵＳ−Ａ−５  ７６４  ７３９
【特許文献２】
英国特許出願ＧＢ−Ａ−２  ３４５  ６１
【特許文献３】
米国特許出願ＵＳ−Ａ−６  ０２０  ９１６
【発明の開示】
【発明が解決しようとする課題】
【０００７】
しかし、この新興技術のすべてにより、ビジネスに電話をかけた際に保留状態にされるなどの電気通信の欠点が解消された訳ではない。通話が無期限に保留にされると、当然のことながらビジネスの顧客にはいらだちが生じ、これはビジネスにとって好ましいことではない。携帯電話のユーザはしばしば分単位で電話の使用料金を払わなければならないことから、携帯電話の場合はこの事態がさらに悪化する。テンポが速い今日の世界では、電話を保留にすると、何か他の事に使うこともできるはずの貴重な時間を費やすことになる。したがって、当技術分野では、顧客のいらだちを低減するために、顧客が電話で保留状態に置かれる時間をよりうまく利用することが必要とされる。
【課題を解決するための手段】
【０００８】
本発明は、携帯電話ユーザが保留状態に置かれたときユーザに代替のコンテンツを提供することにより、上述の必要性に対処する。携帯電話ユーザが保留状態に置かれると、ユーザの携帯電話の表示画面でユーザに表示するために付加的なコンテンツがプッシュされる。
【０００９】
代替実施形態では、保留時間中に、顧客のプロファイルをダウンロードして顧客にとって特に興味のあるコンテンツをプッシュすることができる。
【００１０】
デジタル無線電気通信ネットワークにおいて、本発明は、一実施形態で、携帯電話のユーザから音声呼を受信するステップと、携帯電話のユーザと音声による会話を行うステップと、携帯電話のユーザとの音声呼を維持しながら、携帯電話の表示画面に表示するために携帯電話にコンテンツをダウンロードするステップとを含む方法を含む。
【００１１】
本発明の別の実施形態では、コンピュータ可読媒体に記憶するように適合可能なコンピュータ・プログラム製品が提供され、このコンピュータ・プログラム製品は、携帯電話のユーザから音声呼を受信するプログラム・ステップ、携帯電話のユーザと音声による会話を行うプログラム・ステップ、および携帯電話ユーザとの音声呼を維持するのと同時に、携帯電話の表示画面に表示するために携帯電話にコンテンツをダウンロードするプログラム・ステップを含む。
【００１２】
本発明の別の実施形態は、情報ハンドリング・システムを実施し、このシステムは、ウェブ対応型電話機でウェブ・ページを表示するｈｔｍｌコードを格納するデータベースと、電気通信ネットワークに結合し、電気通信ネットワークを通じて内線電話を携帯電話に接続するための交換機と、内線電話と携帯電話との間で行われる音声による会話と同時に、ウェブ対応型電話機にウェブ・ページをダウンロードするアプリケーション・サーバとを備える。
【００１３】
本発明の別の実施形態は電気通信ネットワークを含み、この電気通信ネットワークは、デジタル無線ネットワークと、ウェブ対応型電話機と、交換機と、交換機およびデジタル無線ネットワークに結合された公衆交換電話網と、交換機に結合された電話機と、デジタル無線ネットワーク、公衆交換電話網、および交換機を介してウェブ対応型電話機と電話機間に音声接続を生み出す回路と、音声接続を行うのと平行してウェブ対応型電話機にコンテンツをダウンロードするアプリケーション・サーバとを含む。
【００１４】
上述では、以下の本発明の詳細な説明をよりよく理解できるように本発明の特徴および技術的利点をやや大まかに概説した。本発明の特許請求の範囲の主題をなす本発明のこの他の特徴および利点を以下で説明する。
【発明を実施するための最良の形態】
【００１５】
以下の説明では、具体的なプロトコルあるいは無線ネットワーク・アーキテクチャなどの多数の具体的な詳細事項を述べて本発明の完全な理解を提供する。ただし、当分野の技術者には明らかであるように、本発明はそのような特定の詳細事項を用いずに実施することもできる。他の例では、不必要に詳細に図示することで本発明をあいまいにしないために、よく知られる回路はブロック図の形で図示する。大抵の部分で、タイミングの考慮などに関する詳細は、本発明を完全に理解するのに必要でなく、また関連技術の技術者が有する技術の範囲内であるので省略している。
【００１６】
次いで図面を参照するが、図の要素は必ずしも原寸に比例して示されてはおらず、数枚の図全体を通じて同じまたは同様の要素は同じ参照符号で示されている。
【００１７】
本発明は、デジタル携帯電話、ページャ、携帯情報端末などを公衆交換電話網（ＰＳＴＮ）およびインターネットに接続するために現在運用されているような無線デジタル・ネットワーク内で実施される。このようなネットワークは、ＷＡＰ（無線アプリケーション・プロトコル）を使用して通信することができる。ＷＡＰは、無線ユーザが無線端末の表示画面で、電子メールおよび音声メールにアクセスする、ファックスの送受信を行う、株取引を行う、銀行取引を行う、小型のウェブ・ページを閲覧することなどを可能にする。仕様を含むＷＡＰについてのさらなる情報は、http://www.wapforum.orgで入手することができる。同ウェブ・サイトは参照により本明細書に組み込む。ＷＡＰにより、モバイル・ユーザは、情報が携帯電話の画面に収まるように情報のフォーマットをウェブ・サイトが調整することを可能にするワイヤレス・マークアップ言語（ＷＭＬ）を使用して縮小されたウェブ・ページを、より容易に閲覧することができる。
【００１８】
図１に、本発明の概念を実施する例示的プロセスの流れ図を示す。ステップ１０１で、携帯電話（無線電話）ユーザは、可能なサービスにアクセスし、それを入手するためにあるビジネスに接続して、ビジネスと対話する。すなわち、ユーザは自分の携帯電話でビジネスに電話をかける。ステップ１０２でビジネスの代表者が取り込み中でその時にユーザと対話できない場合、プロセスはステップ１０５に進み、発呼者は保留状態に置かれる。ビジネスの代表者がユーザと会話できる場合は、プロセスはステップ１０２から１０３に進み、ユーザは、要求したサービスをビジネスから受け取り、システムはステップ１０４で終了する。
【００１９】
ただし、ステップ１０５が行われる場合、ユーザは保留状態に置かれ、本発明の一実施形態により、ビジネスは、ゲーム、株価などの他のサービス／情報（本明細書では「善意（goodwill）」サービスとも称する）を携帯電話にダウンロードするオプションをユーザに提示する。この提示は、保留中のユーザに対する音声メッセージとすることができる。このネットワークを通じて発呼者ＩＤサービスが実装され、その特定のユーザがあらかじめこのビジネスに登録している場合、ビジネスは、発呼者ＩＤ情報を利用してユーザを識別し、その特定ユーザにダウンロードされるサービス／情報をユーザに合わせて調整できる可能性がある。例えばユーザがあらかじめこのビジネスに登録し、保留状態になった時には株価を受け取る選択を表明しているとする。すると、ユーザがビジネスに電話をかけ、保留状態に置かれた時には、株価情報がユーザの携帯電話にダウンロードされる。ステップ１０６で、プロセスは、ユーザがそのような代替の「善意」サービスを受け取りたいかどうかを判定する。このステップは、代替の善意サービスをユーザに提示し、代替サービス／情報のダウンロードを許可する数字（例えば「１」）をダイヤルするか、声に出して言うことをユーザに要求することによって行うことができる。ユーザがそのような付加的な善意サービスを受け取りたくない場合、プロセスはステップ１０８に進み、ユーザは、ユーザが本来そのために電話したサービスを待ち（最終的には保留状態が解除される）、プロセスはステップ１０２に戻り、発呼者は引き続き保留状態に置かれる。一方、ユーザがそのような善意サービスを受け取ることを選択した場合は、プロセスはステップ１０７に進み、そのような善意サービスをダウンロードするために、下記の方法でユーザとビジネスの間で並行接続が確立されることになる。ステップ１０９で、ユーザは善意サービスを呼び出し、ＷＴＡ（無線電話アプリケーション）インタフェースを使用して電話アプリケーションを呼び出すか、あるいは、他のＷＡＥ（無線アプリケーション環境）インタフェースを使用してＷＡＰアプリケーションを起動することができる（図４参照）。ステップ１１０で、保留状況をなお継続するかどうかを判定する。継続しない場合プロセスはステップ１０３に進み、ユーザはその要求に応じてサービスされる。ただしステップ１１０でユーザをなお保留状態にすべき場合は、プロセスはステップ１１１に進み、任意選択のステップを行って、ユーザが以前に選択したその善意サービスを継続したいかどうか要求することができる。継続したい場合は、プロセスは単にステップ１０９に戻ってそのような付加的な善意サービスの提供を続ける。ただしユーザがそのような善意サービスの継続を望まない場合は、プロセスはステップ１１２に進み、ユーザへの別の善意サービスの提供を開始する。方法はステップ１０７に戻る。一例として、ユーザに提供される最初の善意サービスは、ユーザの携帯電話でプレイするためにユーザにダウンロードされる特定のゲームにすることができる。ユーザがステップ１１１でそのゲームに飽きている場合は、ステップ１１２で開始するプロセスで、別のゲームをユーザにダウンロードすることが可能なプロセス���開始することができる。
【００２０】
図２を参照すると、本発明により構成された無線ネットワークを示している。携帯電話２０２を有するユーザは、ベアラ・ネットワーク２０１を通じて無線ネットワークにアクセスすることができる。ベアラ・ネットワーク２０１は、ＭＣＩ、Ｓｐｒｉｎｔ、ＡＴ＆Ｔなどのエンティティによって提供することができる。そのようなネットワーク２０１は、携帯電話ユーザ２０２をＰＳＴＮ（公衆交換電話網）２０３に接続する。ユーザが特定のビジネスに電話をかける場合、ＰＳＴＮ２０３は、ユーザの電話呼をビジネスのＰＢＸ２０４に接続し、ＰＢＸ２０４はその呼を呼び出された内線電話に交換するが、この例ではこの内線電話はビジネスのコール・センター２０５である。ユーザ２０２を図１との関連で上述した保留状況に置く可能性があるのはコール・センター２０５である。
【００２１】
コール・センター２０５が、ネットワーク２０１および２０３を通じて携帯電話／モバイル・ユーザ２０２から呼を受信し、ユーザ２０２を保留状態にしなければならない場合、コール・センター２０５はユーザのプロファイルを入手してプッシュするコンテンツを決定する。これは、発呼者の発呼者ＩＤ情報とユーザ・プリファレンスのデータベースを比較することによって実現することができる。次いでこのコンテンツを並行チャネルでユーザ２０２にプッシュする。これは、アプリケーション・サーバ２０８を介してコンテンツを生成し、ＷＡＰプッシュ・サービスを起動してコンテンツをプッシュすることによって実現される。ウェブ・プッシュ・サービスは、データおよびサービスを指定されたウェブ・クライアントにプッシュするためのプッシュ・プロキシ・ゲートウェイを利用する。ＷＡＰは、そのようなプッシュ・サービスを起動し、実行することができる標準インタフェースを備える。一方、ビジネスがユーザ２０２のユーザ・プロファイルへのアクセス権を持たない場合、ユーザ２０２は、ビジネスがクライアントによって選択されたサービスをプッシュすることを可能にするＷＡＰプッシュ・サービスと併せてＷＴＡサーバ２０６を使用することにより、サービスを選択することができる。ユーザの呼により最初の音声接続が設定され（クライアント２０２−ベアラ・ネットワーク２０１−ＰＳＴＮ２０３−ＰＢＸ２０４−コール・センター２０５）、そして（最初の接続での）クライアントの選択に基づいて、データおよびサービスをクライアントにプッシュするための第２の接続（クライアント２０２−ベアラ・ネットワーク２０１−ＷＡＰゲートウェイ２０７−アプリケーション・サーバ２０８）がビジネスからクライアントまで生成される。クライアント上のＷＴＡＩインタフェース（図４参照）およびサーバ上のプッシュ・プロキシ・サービスを利用してこの第２の接続を実施することができる。この時点でクライアントとビジネスの間には２つの並行チャネルがあり、このチャネルはパケットベースのネットワーキング機能を利用している。
【００２２】
図３に、ＷＡＰクライアントに善意サービスをプッシュするためにＷＡＰクライアントをサポートする終端間ネットワーク・インフラストラクチャの構成の一実施形態を示す。ＷＡＰスタックの一端にあるＷＡＰクライアント３０１は、ＷＭＬブラウザ、プッシュ・クライアント、および電話アプリケーション環境を有し、携帯電話、ＰＤＡ、あるいはその他任意のＷＡＰをサポートする機器とすることができる。ＷＡＰゲートウェイ３０２は、無線プロトコルとワイヤライン・プロトコルを橋渡しする。ＷＳＰ（無線セッション・プロトコル）要求は、インターネットを通じて送信されるＨＴＴＰ要求に変換される。ＷＡＰプロキシ３０４は、コンテンツの変換、クライアント機能に合わせた調整など、ＷＡＰコンテンツを操作してＷＡＰクライアントに適したものにする。ＷＡＰサービス３０３は、プッシュ・プロキシ・ゲートウェイを通じて、ＷＡＰプッシュ・サービスなどウェブ・サービスを超えるサービスを提供し、また電話サーバを通じてＷＡＰ電話アプリケーションを提供する。ウェブ・プロキシ３０５はウェブ・クライアント向けの各種サービスを提供し、一方ウェブ・サーバ３０６（オリジン・サーバ）はクライアント３０１に配信するコンテンツを生成する。データソース３０７は、そのような有用なクライアント・サービスを装備する際にアクセスされ、変換されるデータを含む。
【００２３】
次いで図４を参照すると、並行接続（図２参照）を通じたクライアント無線デバイス３０１への善意サービスの提供方法をさらに詳細に示す。図４には、クライアント側からＷＡＰゲートウェイ３０２へのＷＳＰ要求の配信と、要求の復号と、ＣＧＩスクリプトなどを使用してオリジン・サーバ３０６によってサービスされるＨＴＴＰ要求へのプロトコル変換とを示している。この時点で、ＷＭＬコンテンツを直接生成するか、あるいは何らかの他のフォーマットのコンテンツを生成することができ、そのコンテンツはＨＴＴＰ応答として送信される。ＷＡＰゲートウェイ３０２は、必要な符号化とプロトコル変換を行い、コンテンツを元のクエリに対するＷＳＰ応答として送信する。
【００２４】
無線アプリケーション環境（ＷＡＥ）は、コンテンツおよびアプリケーションをダウンロードするためのフォーマットを定義し、またＷＡＰ環境中のアプリケーション・サーバからコンテンツを配信する手段も定義する。クライアント・デバイス３０１のＷＡＥ中の無線電話アプリケーション・インタフェース（ＷＴＡＩ）は、クライアント・デバイス３０１の電話機能と対話するためにＷＭＬアプリケーションが使用するサービスの集合を表す。この集合には、電話呼を開始する、ＤＴＭＦトーンを送信する、着呼を受け付け、セットアップする、ネットワーク・テキスト・メッセージを送受信する、呼を保留状態にする、呼を転送するなどの機能が含まれる。無線電話アプリケーション（ＷＴＡ）のユーザ・エージェント（ＵＡ）は、新しいテレフォニー・ライブラリのカタログまたはバンドルのダウンロードと、価付加値をつけた電話サービスへのアクセスを可能にするイベント・ハンドリング機能をサポートする。この例では、ＷＴＡ  ＵＡにより、ユーザが保留状態に置かれた時のサービス・ダウンロードの並行の実行が可能になる。
【００２５】
無線セッション・プロトコル（ＷＳＰ）は、２つのアプリケーション・ピア間のセッションの概念をサポートする。無線トランザクション・プロトコル（ＷＴＰ）は、大まかにＴＣＰ（伝送制御プロトコル）に基づき、トランザクションの概念、すなわちクライアント要求とサーバ応答をサポートし、無線データグラム・プロトコル（ＷＤＰ）によって提供されるデータグラム・サービスの上位に構築される。無線トランスポート層セキュリティ（ＷＴＬＳ）は、認証およびデータ暗号化サービスを提供する。本発明とその利点を詳細に説明したが、本発明の精神および頭記の特許請求の範囲から逸脱することなく、本発明に各種の変更、置換、および改変を加えることができることを理解されたい。
【図面の簡単な説明】
【００２６】
【図１】本発明による流れ図である。
【図２】本発明により構成されたネットワークのブロック図である。
【図３】本発明によりサービスを提供するために利用されるネットワーク中の構成要素のブロック図である。
【図４】本発明により構成された無線アプリケーション環境の図である。




【手続補正書】
【提出日】平成15年10月27日(2003.10.27)
【手続補正１】
【補正対象書類名】特許請求の範囲
【補正対象項目名】全文
【補正方法】変更
【補正の内容】
【特許請求の範囲】
【請求項１】
デジタル無線電気通信ネットワークにおいて、
携帯電話（３０１）のユーザ（２０２）から音声呼を受信する（１０１）ステップと、
前記携帯電話（３０１）のユーザ（２０２）と音声による会話を行うステップと、
前記携帯電話（３０１）のユーザとの前記音声呼を維持しながら、前記携帯電話（３０１）の表示画面に表示するために前記携帯電話（３０１）にコンテンツをダウンロードする（１０７）ステップと
前記音声呼を保留状況に置き（１０５）、前記音声呼が前記保留状況にある間に、前記ダウンロード・ステップを行うステップと
を含む方法であって、
ａ）前記コンテンツは、インターネット上のウェブ・サーバ（２０８、３０６）からのウェブ・ページであること、
ｂ）前記ウェブ・ページは、インターネットと前記デジタル無線電気通信ネットワーク（２０１）を結合するゲートウェイ（２０７、３０２）によって無線アプリケーション・プロトコル・フォーマットに変換した後に、前記ウェブ・サーバ（２０８、３０６）から前記携帯電話（３０１）にダウンロードされる（１０７）こと
を特徴とする方法。
【請求項２】
前記ウェブ・ページのｈｔｍｌが、前記ゲートウェイ（２０７、３０２）によって無線マークアップ言語に変換される請求項１に記載の方法。
【請求項３】
前記音声呼が保留状況に置かれた後で、前記携帯電話（３０１）を介してユーザ（２０２）に音声メッセージが再生され、前記コンテンツのダウンロードを選択する（１０９）ことを前記ユーザ（２０２）に要求する（１０６）請求項１に記載の方法。
【請求項４】
前記ダウンロード・ステップがさらに、前記携帯電話（３０１）に関連する発呼者ＩＤを使用して、前記携帯電話（３０１）にダウンロードする（１０７）特定のコンテンツを選択する（１０９）ステップを含む請求項１に記載の方法。
【請求項５】
前記音声呼と前記コンテンツのダウンロードが、前記携帯電話（３０１）と前記ネットワーク（２０１）の間の接続を通じてパケット交換プロトコルを使用して同時に行われる請求項１に記載の方法。
【請求項６】
前記保留状況が解除されると前記コンテンツのダウンロード（１０７）を中止する（１０３）ステップ
をさらに含む請求項１に記載の方法。
【請求項７】
コンピュータ可読媒体に記憶するように適合可能なコンピュータ・プログラム製品であって、
携帯電話（３０１）のユーザ（２０２）から音声呼を受信する（１０１）プログラム・ステップと、
前記携帯電話（３０１）のユーザ（２０２）と音声による会話を行うプログラム・ステップと、
前記携帯電話（３０１）のユーザ（２０２）との前記音声呼を維持するのと同時に、前記携帯電話（３０１）の表示画面に表示するために前記携帯電話（３０１）にコンテンツをダウンロードする（１０７）プログラム・ステップと
前記音声呼を保留状況に置き（１０５）、前記音声呼が前記保留状況にある間に前記ダウンロードのプログラム・ステップを行うプログラム・ステップと
を含み、
ａ）前記コンテンツは、インターネット上のウェブ・サーバ（２０８、３０６）からのウェブ・ページであること、
ｂ）前記ウェブ・ページは、インターネットと前記デジタル無線電気通信ネットワーク（２０１）を結合するゲートウェイ（２０７、３０２）によって無線アプリケーション・プロトコル・フォーマットに変換した後に、前記ウェブ・サーバ（２０８、３０６）から前記携帯電話（３０１）にダウンロードされる（１０７）こと
を特徴とするコンピュータ・プログラム製品。
【請求項８】
前記音声呼が保留状況に置かれた後（１０５）に、前記携帯電話（３０１）に対して音声メッセージが再生され、前記コンテンツのダウンロードを許可することを前記ユーザ（２０２）に要求する（１０６）請求項７に記載のコンピュータ・プログラム製品。
【請求項９】
前記ダウンロードのプログラム・ステップがさらに、前記携帯電話（３０１）に関連する発呼者ＩＤを使用して、前記携帯電話（３０１）にダウンロードする（１０７）特定のコンテンツを選択する（１０９）プログラム・ステップを含む請求項７に記載のコンピュータ・プログラム製品。
【請求項１０】
前記保留状況が解除されると前記コンテンツのダウンロード（１０７）を中止する（１０３）プログラム・ステップ
をさらに含む請求項７に記載のコンピュータ・プログラム製品。
【請求項１１】
デジタル無線ネットワーク（２０１）と、
ウェブ対応型電話機（３０１）と、
交換機（２０４）と、
前記交換機（２０４）と前記デジタル無線ネットワーク（２０１）に結合された公衆交換電話網（２０３）と、
前記交換機（２０４）に結合された電話機（２０５）と、
前記デジタル無線ネットワーク（２０１）、公衆交換電話網（２０３）、および前記交換機（２０４）を介して、前記ウェブ対応型電話機（３０１）と前記電話機（２０５）の間に音声接続を生み出す回路と、
前記音声接続を行うのと並行して、前記ウェブ対応型電話機（３０１）にコンテンツをダウンロードするアプリケーション・サーバ（２０８、３０６）と
前記ウェブ対応型電話機（３０１）が前記電話機（２０５）によって保留状態に置かれる（１０５）と、前記ウェブ対応型電話機（３０１）に前記コンテンツをダウンロードする（１０７）回路（２０５、２０６、２０７、２０８、２０９；３０２、３０３、３０４、３０５、３０６、３０７）と
を含む電気通信ネットワークであって、
ａ）前記コンテンツは、インターネット上のウェブ・サーバ（２０８、３０６）からのウェブ・ページであること、
ｂ）インターネットと前記デジタル無線電気通信ネットワーク（２０１）を結合するゲートウェイ回路（２０７、３０２）と、
ｃ）前記ウェブ・ページを無線アプリケーション・プロトコル・フォーマットに変換する回路（３０２、３０４）と、
ｄ）前記変換されたウェブ・ページを前記ウェブ・サーバ（２０８、３０６）から前記携帯電話（３０１）にダウンロードする（１０７）回路（３０３）と
を特徴とする電気通信ネットワーク。
【請求項１２】
前記デジタル無線ネットワーク（２０１）を通じて前記ウェブ対応型電話機（３０１）に送信するために、前記アプリケーション・サーバ（２０８、３０６）から受信した前記ウェブ・ページのｈｔｍｌコードを無線マークアップ言語に変換する無線アプリケーション・プロトコル・ゲートウェイ（２０７、３０２）
をさらに含む請求項１１に記載のネットワーク。
【請求項１３】
前記ウェブ対応型電話機（３０１）が、前記音声接続と同時に前記コンテンツを表示する請求項１１に記載のネットワーク。
【国際調査報告】
2004533798.tif 000029
2004533798.tif 000030
2004533798.tif 000031